(57)【特許請求の範囲】
【請求項１】
歯の診断において、患者に歯の治療対象箇所を示すチャート画像をパソコンで作成する方法であって、
前記患者の実際の上顎部のみ又は下顎部のみ、あるいは上顎部及び下顎部の個々の歯に対応し歯を模擬的に示したシンボルを作成し、それらシンボルを前記実際の歯の並びに対応して表示し、
前記シンボルに、前記実際の歯の治療対象箇所に対応してマークを表示するもので前記マークは、前記治療対象箇所を性状ごとに異なる色で表示したカラーマークであり、
前記シンボルの周囲に、前記個々のシンボルに対応するとともに、前記カラーマークの色に対応した複数のコメントボックスを内方から外方に向かって形成して配置し、前記複数のコメントボックスに前記性状に関するコメントを記載し、
前記シンボル画像と複数のコメントボックスを一画面で表示することを特徴とする歯科治療用チャート画像作成方法。
【請求項２】
前記複数のコメントボックスは、性状の悪いものから順に内方から外方に向かって形成して配置されることを特徴とする請求項１に記載の歯科治療用チャート画像作成方法。
【請求項３】
前記複数のコメントボックスは各々二分割され、一方には前記性状に関するコメントが記載されと他方には前記性状に関するコメントに対応した治療方法に関するコメントが記載されることを特徴とする請求項１又は２に記載の歯科治療用チャート画像作成方法。
【請求項４】
前記シンボルを複数の区画に分割し、前記マークを、前記実際の歯の治療対象箇所に対応する前記シンボルの区画に表示したことを特徴とする請求項１乃至３のうちいずれか一つに記載の歯科治療用チャート画像作成方法。
【請求項５】
歯の診断において、患者に歯の治療対象箇所を示すチャート画像をパソコンで作成する方法であって、
前記患者の実際の上顎部のみ又は下顎部のみ、あるいは上顎部及び下顎部の歯の画色を示す実画像を取り込んで表示し、
前記実画像に、前記実際の歯の治療対象箇所に対応してマークを表示するもので前記マークは、前記治療対象箇所を性状ごとに異なる色で表示したカラーマークであり、
前記実画像の周囲に、前記実画像の個々の歯に対応するとともに、前記カラーマークの色に対応した複数のコメントボックスを内方から外方に向かって形成して配置し、前記複数のコメントボックスに前記性状に関するコメントを記載し、
前記実画像と複数のコメントボックスを一画面で表示することを特徴とする歯科治療用チャート画像作成方法。
【請求項６】
前記複数のコメントボックスは、性状の悪いものから順に内方から外方に向かって形成して配置されることを特徴とする請求項５に記載の歯科治療用チャート画像作成方法。
【請求項７】
前記複数のコメントボックスは各々二分割され、一方には前記性状に関するコメントが記載されと他方には前記性状に関するコメントに対応した治療方法に関するコメントが記載されることを特徴とする請求項５又は６に記載の歯科治療用チャート画像作成方法。
【請求項８】
前記実画像の個々の歯を複数の区画に分割し、前記マークを、前記実際の歯の治療対象箇所に対応する前記実画像の個々の区画に表示したことを特徴とする請求項５乃至７のうちいずれか一つに記載の歯科治療用チャート画像作成方法。
【請求項９】
前記請求項１乃至８のうちいずれか一つに記載の歯科治療用チャート画像作成方法で作成されたことを特徴とする歯科治療用チャート画像。
【発明の詳細な説明】
【技術分野】
【０００１】
本発明は、歯科治療用チャート画像作成方法及び歯科治療用チャート画像に関する。より具体的は、歯の診断および治療において、歯の治療対象となる箇所を示すチャート画像をパソコンで作成する方法及びこの方法で作成されたチャート画像に関するものである。
【背景技術】
【０００２】
従来、歯科医による歯の治療においては、まず患者に虫歯等の存在箇所やその状態を口頭で伝え、あるいは手鏡などを使用してその部分を見せ示した後、治療に入るのが一般的である。
【０００３】
また、近年では、より良い治療を目的としてコンピュータに歯の状態に関する情報を記憶させ、その情報を患者に示すプログラムが開示されている（例えば、特許文献１参照）。  このプログラムの情報には経過記録が含まれ、それには、虫歯などの箇所や程度が記録される。また、このプログラムの情報には口腔内データも含まれ、それには患者の口腔内の画像やテキストデータ等が示される。「経過記録」は、患者の状態、病状の記録であって、例えば虫歯、歯周病、その他疾患の箇所や程度が記録される。
【先行技術文献】
【特許文献】
【０００４】
【特許文献１】特開２０１９−１０２００２号公報
【発明の概要】
【発明が解決しようとする課題】
【０００５】
特許文献１に記載のプログラムは虫歯等に関する情報を、経過記録と口腔内データによって患者に示すので、虫歯等の症状をより詳しく示すことができるといった利点がある。
【０００６】
しかしながら、このプログラムの経過記録は虫歯などの箇所や程度を記録するものの、同文献には、それらを具体的にどのように記録するのかが示されていない（同文献の図５（ａ）の記載内容から推測すると、文言（文字）で記録するものと考えられる）。また、口腔内データでは、口腔内の画像とテキストデータ等を示すが、これも具体的にどのように示すのか示されていない（同文献の図５（ｂ）から推測すると、画像を参照して文言（テキストデータ）で示すものと考えられる）。
【０００７】
上記いずれの場合においても、虫歯等の症状等を文言で記録および示すものであると考えられるが、その場合、患者はそれらの文言を読んで症状等を理解する必要がある。従って、一見して症状等を理解するのが極めて困難である。特に、虫歯等が複数ある場合、それらの全てについて文言で記載された症状等を読んで理解するのは厄介であり、かつ分かり難い。
【０００８】
そこで、本発明の目的とするところは、虫歯等の箇所と症状（性状）を一見して容易に理解することができる歯科治療用チャート画像の作成方法及びそれによって作成された歯科治療用チャート画像を提供することにある。
【課題を解決するための手段】
【０００９】
上記の目的を達成するために、本発明の歯科治療用チャート画像作成方法は、歯の診断において、患者に歯の治療対象箇所を示すチャート画像（１）をパソコンで作成する方法であって、
前記患者の実際の上顎部のみ又は下顎部のみ、あるいは上顎部及び下顎部の個々の歯に対応し歯を模擬的に示したシンボル（１１）を作成し、それらシンボル（１１）を前記実際の歯の並びに対応して表示し、
前記シンボル（１１）に、前記実際の歯の治療対象箇所に対応してマーク（Ｍ）を表示するもので前記マーク（Ｍ）は、前記治療対象箇所を性状ごとに異なる色で表示したカラーマークであり、
前記シンボル（１１）の周囲に、前記個々のシンボル（１１）に対応するとともに、前記カラーマーク（Ｍ）の色に対応した複数のコメントボックス（Ｃ）を内方から外方に向かって形成して配置し、前記複数のコメントボックス（Ｃ）に前記性状に関するコメントを記載し、
前記シンボル（１１）画像と複数のコメントボックス（Ｃ）を一画面で表示することを特徴とする。
【００１０】
又、本発明は、前記複数のコメントボックス（Ｃ）は、性状の悪いものから順に内方から外方に向かって形成して配置されることを特徴とする。
又、本発明は、前記複数のコメントボックス（Ｃ）は各々二分割され、一方（Ｃ１）には前記性状に関するコメントが記載されと他方（Ｃ２）には前記性状に関するコメントに対応した治療方法に関するコメントが記載されることを特徴とする。
【００１１】
又、本発明は、前記シンボル（１１）を複数の区画（Ｓ）に分割し、前記マーク（Ｍ）を、前記実際の歯の治療対象箇所に対応する前記シンボル（１１）の区画（Ｓ）に表示したことを特徴とする。
【００１４】
さらに、本発明の歯科治療用チャート画像作成方法は、歯の診断において、患者に歯の治療対象箇所を示すチャート画像（１）をパソコンで作成する方法であって、
前記患者の実際の上顎部のみ又は下顎部のみ、あるいは上顎部及び下顎部の歯の画色を示す実画像（２０）を取り込んで表示し、
前記実画像（２０）に、前記実際の歯の治療対象箇所に対応してマーク（Ｍ）を表示するもので前記マーク（Ｍ）は、前記治療対象箇所を性状ごとに異なる色で表示したカラーマークであり、
前記実画像（２０）の周囲に、前記実画像（２０）の個々の歯に対応するとともに、前記カラーマーク（Ｍ）の色に対応した複数のコメントボックス（Ｃ）を内方から外方に向かって形成して配置し、前記複数のコメントボックス（Ｃ）に前記性状に関するコメントを記載し、
前記実画像（２０）と複数のコメントボックス（Ｃ）を一画面で表示することを特徴とする。
【００１５】
又、本発明は、前記複数のコメントボックス（Ｃ）は、性状の悪いものから順に内方から外方に向かって形成して配置されることを特徴とする。
又、本発明は、前記複数のコメントボックス（Ｃ）は各々二分割され、一方（Ｃ１）には前記性状に関するコメントが記載されと他方（Ｃ２）には前記性状に関するコメントに対応した治療方法に関するコメントが記載されることを特徴とする。
【００１６】
又、本発明は、前記実画像（２０）の個々の歯（２１）を複数の区画（Ｓ）に分割し、前記マークＭを、前記実際の歯の治療対象箇所に対応する前記実画像（２０）の個々の歯（２１）の区画（Ｓ）に表示したことを特徴とする。
【００１７】
本発明の歯科治療用チャート画像（１）は、前記記載の歯科治療用チャート画像作成方法のいずれか一つによって作成されたことを特徴とする。
【００１８】
ここで、上記括弧内の記号は、図面および後述する発明を実施するための形態に掲載された対応要素または対応事項を示す。
【発明の効果】
【００１９】
本発明の歯科治療用チャート画像作成方法によれば、患者の実際の個々の歯に対応した歯を模擬的に示したシンボルを実際の歯の並びに対応して表示し、それらのシンボルに実際の歯の治療対象箇所に対応してマークを表示するので、患者は虫歯等の箇所を一見して容易に理解できる。
【００２０】
また、本発明によれば、マークが、治療対象箇所を性状ごとに異なる色で表示したカラーマークであるので、その色を一見するのみで治療対象箇所の性状を容易に理解することができる。
【００２２】
また、本発明によれば、シンボルの周囲に、カラーマークの色に対応した複数のコメントボックスを内方から外方に向かって形成して配置し、これら複数のコメントボックスに性状に関するコメントを記載したので、より詳しい性状を理解することができる。
【００２４】
さらに、本発明によれば、患者の実際の歯の画色を示す実画像を取り込んで表示し、それに実際の歯の治療対象箇所に対応してマークを表示したので、患者は虫歯等の箇所を一見して容易かつ現実的に理解できる。
【００２５】
また、本発明によれば、マークが、治療対象箇所を性状ごとに異なる色で表示したカラーマークであるので、その色を一見するのみで治療対象箇所の性状を容易かつ現実的に理解することができる。
【００２７】
また、本発明によれば、シンボルの周囲に、カラーマークの色に対応した複数のコメントボックスを内方から外方に向かって形成して配置し、それらに性状に関するコメントを記載したので、患者は治療が必要な歯の性状をより具体的に理解することができる。
【００２８】
本発明の歯科治療用チャート画像によれば、前記記載の歯科治療用チャート画像作成方法のいずれか一つによって作成されたので、患者は虫歯等の箇所を一見して容易に理解することができる。
【００２９】
なお、本発明のように、患者の実際の個々の歯に対応し歯を模擬的に示したシンボルに実際の歯の治療対象箇所に対応してマークを表示する点は、上述した特許文献１には全く記載されていない。
【図面の簡単な説明】
【００３０】
【図１】本発明の実施形態による歯科治療用チャート画像作成方法によって作成された歯科治療用チャート画像を示す平面図である。
【図２】本発明の実施形態による歯科治療用チャート画像作成方法によって作成された他の歯科治療用チャート画像を示す平面図である。
【図３】本発明の実施形態による歯科治療用チャート画像作成方法によって作成されたさらに他の歯科治療用チャート画像を示す平面図である。
【図４】本発明の実施形態における歯科治療用チャート画像のシンボルを示す拡大平面図である。
【図５】本発明の実施形態における歯科治療用チャート画像の実画像の歯を示す拡大平面図である。
【発明を実施するための形態】
【００３１】
図１を参照して、本発明の実施形態に係る歯科治療用チャート画像作成方法を説明する。図１は、歯科治療用チャート画像１を示すものでパソコンのディスプレイ画面Ｄに表示された状態を示している。
【００３２】
本実施形態に係る歯科治療用チャート画像作成方法は、歯科医によって患者の歯を治療する際の診断において、患者に歯の治療対象箇所を示すチャート画像１をパソコンで作成する方法である。
【００３３】
この作成方法では、まず、患者の実際の個々の歯に対応して、歯を模擬的に示したシンボル１１を作成する。歯は、本体部分である歯冠と、そこから下に延びる歯根を備えるので、それらを模した歯冠部１２と歯根部１３を有するシンボル１１を作成する。
次に、それらのシンボル１１を実際の歯の並びに対応して配置し、上顎部Ｕと下顎部Ｌを含むシンボル画像１０として表示する。なお、上顎側又は下顎側のみのシンボル画像１０とすることもできる。
【００３４】
そして、該当するシンボル１１に、実際の歯の治療対象箇所に対応してマークＭを表示する。すなわち、例えば、実際の歯において上顎の奥歯と下顎の前歯に虫歯があれば、それらに対応する上顎部Ｕの奥歯と前顎部の前歯に対応するシンボル１１にマークＭを入れて表示する。マークＭの形態は限定されず、単なる四角や丸などの印しでも良く、記号や文字でも良い。
これにより、患者は、奥歯と前歯に治療が必要なことを一見して理解することができる。
【００３５】
また、本実施形態の作成方法では、マークＭを、治療対象箇所を性状ごとに異なる色で表示したカラーマークとしている。カラーマークＭの数（種類）は限定されない。
従って、例えば、赤、黄、青の三色とし、性状の悪いものから順に、赤、黄、青とすることができる。その場合、シンボル画像１０の中央に赤、黄、青の性状表示部Ｅを形成し、性状を三色（もちろん三色よりも多い色であってもよい）で表すことを明示することができる。
これにより患者は、治療の対象となる歯を一見して理解することができるだけでなく、その性状の程度も一見して理解することができる。
【００３６】
また、この作成方法では、図４に示すように、各シンボル１１を複数の区画Ｓに分割し、マークＭを、実際の歯の治療対象箇所に対応するシンボル１１の区画Ｓに表示するようにしている。区画Ｓの数は限定されず、例えば、９区画にほぼ等分割することができる。
これにより、患者は、治療の対象となる歯とその性状の程度に加えて、具体的に歯のどの箇所の治療が必要であるかを一見して理解することができる。
【００３７】
また、この作成方法では、シンボル１１の周囲に、カラーマークＭの色に対応した複数のコメントボックスＣを内方から外方に向かって形成して配置し、それらのコメントボックスＣに性状に関するコメントを記載するようにしている。
これにより、患者は、カラーマークＭによる理解に加えて、治療が必要な歯の性状をさらに具体的に理解することができる。
【００３８】
なお、例えば、カラーマークＭを性状の悪いものから順に、赤、黄、青とする場合、赤のカラーマークＭに対応するコメントボックスＣ（図では斜線入りのコメントボックス）に赤の色彩を施して最も内方に位置させ、黄のカラーマークＭに対応するコメントボックスＣ（図ではドット入りのコメントボックス）に黄の色彩を施して中間に位置させ、青のカラーマークＭに対応するコメントボックスＣ（図では白地のコメントボックス）に青の色彩を施して最も外方に位置させることができる。
このような色彩と配置に設定することで、性状をより容易かつ具体的に理解することができる。
【００３９】
コメントボックスＣに記載する性状に関するコメントは限定されない。従って、歯の性状自体の他に、具体的な治療方法、歯科医が治療上必要であると考えること、患者に性状の他に周知してもらいたい事項など、あらゆるコメントが含まれる。なお、各コメントボックスＣは上下に上側ボックスＣ１と下側ボックスＣ２とに二分割し、例えば、上側ボックスＣ１に歯の性状を記載し、下側ボックスＣ２に治療方法を記載することができる。
【００４０】
また、図２に示すように、シンボル画像１０に隣接して、患者の実際の歯２１の画色を示す実画像２０を取り込んで表示することもできる。これにより、患者は歯の治療箇所をより具体的に理解することができる。
【００４１】
なお、この実画像２０にも、シンボル画像１０と同様に、必要に応じて、治療対象箇所を性状ごとに異なる色で表示したカラーマークＭを付けることが可能である。また、実画像２０の個々の歯２１を複数の区画Ｓに分割し、治療対象箇所に対応する区画ＳにマークＭを表示することも可能である。これにより、患者は、歯の治療箇所および性状の程度を、より現実的に理解することができる。
【００４２】
さらに、図３に示すように、シンボル画像１０に代えて、患者の実際の歯の画色を示す実画像２０を取り込んで表示し、実画像２０に、実際の歯２１（歯冠２２又は歯根２３）の治療対象箇所に対応してマークＭを表示することができる。この場合も、マークＭを、治療対象箇所を性状ごとに異なる色で表示したカラーマークとすることができる。
また、実画像２０の個々の歯２１を複数の区画Ｓに分割し、マークＭを、実際の歯の治療対象箇所に対応する個々の歯２１の区画Ｓに表示することができる。シンボル画像１０に代えて実画像２０を表示することにより、患者は、歯の治療箇所および性状の程度を、より現実的かつ具体的に理解することができる。
【００４３】
上記実施形態では、実際の歯の歯冠が治療対象箇所であるとしてシンボル１１の歯冠部１２（又は実画像２０の歯２１の歯冠２２）にマーク（カラーマーク）Ｍを表示しているが、実際の歯の歯根が治療対象箇所である場合、シンボル１１の歯根部１２（又は実画像２０の歯２１の歯根２３）にマーク（カラーマーク）Ｍを表示する。また、治療の対象となる性状としては虫歯の他に、例えば、歯の欠損や歯槽膿漏に起因する歯根の脆弱化など歯に関連するさまざまなものが含まれる。
【符号の説明】
【００４４】
１    歯科治療用チャート画像
１０    シンボル画像
１１    シンボル
１２    歯冠部
１３    歯根部
２０    実画像
２１    実際の歯
２２    実際の歯冠
２３    実際の歯根
Ｃ    コメントボックス
Ｃ１  上側ボックス
Ｃ２  下側ボックス
Ｄ    ディスプレイ画面
Ｅ    性状表示部
Ｌ    下顎部
Ｍ    マーク（カラーマーク）
Ｓ      区画
Ｕ      上顎部
【要約】
【課題】虫歯等の箇所と症状を一見して容易に理解することができる歯科治療用チャート画像を提供する。
【解決手段】歯の診断において、患者に歯の治療対象箇所を示すチャート画像１をパソコンで作成する方法であって、患者の実際の個々の歯に対応し歯を模擬的に示したシンボル１１を作成し、それらシンボル１１を実際の歯の並びに対応して表示し、シンボル１１に、実際の歯の治療対象箇所に対応してマークＭを表示する。マークＭは、治療対象箇所を性状ごとに異なる色で表示したカラーマークである。また、シンボル１１を複数の区画Ｓに分割し、マークＭを、実際の歯の治療対象箇所に対応するシンボル１１の区画Ｓに表示した。
【選択図】図１【図１】
0006806871.tif 000002
【図２】
0006806871.tif 000003
【図３】
0006806871.tif 000004
【図４】
0006806871.tif 000005
【図５】
0006806871.tif 000006